(57)【要約】【課題】装着された記録メディアが書き込み回数制限のないメモリカードであるか、書き込みが１回程度までのワンタイムメモリカードであるかに応じて、記録メディアに対するデータの書き込み動作を変更し、それぞれ好適な使用環境となるよう構成した記録装置を提供することを目的とする。【解決手段】装着された記録メディアの種類を検出する検出部と、記録メディアにデータを記録する記録部と、記録部に記録動作に関わる指示を入力するための操作部と、検出部が検出したワンタイムメモリカードであるかリライタブルなメモリカードであるかといった検出結果に応じて、操作部による指示入力に応じた記録動作をそれぞれのメモリカードに適した形態に変更させる制御部と備える。【選択図】      図１
2004336135.tif 000002
【特許請求の範囲】
【請求項１】
データを記録メディアに記録する記録装置において、
装着された前記記録メディアの種類を検出する検出手段と、
前記記録メディアに前記データを記録する記録手段と、
前記記録手段に記録動作に関わる指示を入力するための操作手段と、
前記検出手段の検出結果に応じて、前記操作手段による前記記録手段に対する指示入力に応じた動作を変更させる制御手段とを備えたことを特徴とする記録装置。
【請求項２】
請求項１において、前記記録手段は前記データを一時記憶する一時記憶手段を有し、前記制御手段は前記一時記憶手段の記憶動作を変更させることを特徴とする記録装置。
【請求項３】
請求項２において、前記検出結果が第１の記録メディアであった場合には、前記制御手段は前記データを前記一時記憶手段に記憶してから前記第１の記録メディアに記録するよう制御し、前記検出結果が第２の記録メディアであった場合には、前記制御手段は前記データを前記一時記憶手段に記憶せずに前記第２の記録メディアに記録するよう制御することを特徴とする記録装置。
【請求項４】
請求項３において、前記検出手段は前記第１の記録メディアとして書き込み可能な回数が１回又は数回に限られた記録メディアを検出し、前記第２の記録メディアとして書き込み可能な回数が実質的に無制限の記録メディアを検出することを特徴とする記録装置。
【請求項５】
請求項１において、前記記録手段は前記データを圧縮する圧縮手段を有し、前記制御手段は前記圧縮手段の出力動作を変更させることを特徴とする記録装置。
【請求項６】
請求項５において、前記記録手段は前記データを一時記憶する一時記憶手段を有し、前記制御手段は前記検出結果に応じて前記圧縮手段で圧縮された前記データを前記一時記憶手段に出力するか、前記記録メディアへ出力するかを選択することを特徴とする記録装置。
【請求項７】
請求項６において、前記検出手段は前記記録メディアの種類として書き込み可能な回数が１回又は数回に限られた第１の記録メディアと、書き込み可能な回数が実質的に無制限の第２の記録メディアとを検出し、前記第１の記録メディアのときは前記圧縮手段で圧縮された前記データを前記一時記憶手段に出力し、前記第２の記録メディアのときは前記圧縮手段で圧縮されたデータを前記記録メディアへ出力することを特徴とする記録装置。
【請求項８】
請求項１において、前記操作手段は記録指示ボタンであって、該記録指示ボタンは２段階スイッチで構成されたことを特徴とする記録装置。
【請求項９】
請求項８において、前記記録手段は前記データを一時記憶する一時記憶手段を有し、前記制御手段は前記２段階スイッチの操作状態に応じて前記一時記憶手段への記憶動作と前記記録メディアへの記録動作を制御することを特徴とする記録装置。
【請求項１０】
請求項９において、前記検出結果が所定の記録メディアであった場合には、前記制御手段は前記２段階スイッチの第１段階で前記一時記憶手段への記憶を行い、第２段階で前記記録メディアへの記録を行うよう制御することを特徴とする記録装置。
【請求項１１】
請求項９において、前記検出結果が所定の記録メディアであった場合には、前記制御手段は前記２段階スイッチの第１段階で前記一時記憶手段への記憶を行い、第２段階で前記一時記憶手段への記憶と前記記録メディアへの記録とを行うよう制御することを特徴とする記録装置。
【請求項１２】
請求項１０又は１１において、前記制御手段は前記２段階スイッチの第２段階が再度操作されるまで前記記録メディアへの記録を継続することを特徴とする記録装置。
【請求項１３】
請求項１０又は１１において、前記制御手段は前記２段階スイッチの第１段階が操作されてから第２段階が操作されるまでの間に、前記第１段階の操作が解除されたならば、前記一時記憶手段に記憶したデータを破棄するよう制御することを特徴とする記録装置。
【請求項１４】
請求項１０又は１１において、前記検出結果が前記所定の記録メディアとは異なる記録メディアであったときには、前記制御手段は前記２段階スイッチの第１段階又は第２段階での前記一時記憶手段への記憶を禁止するよう制御することを特徴とする記録装置。
【請求項１５】
請求項１０又は１１において、前記所定の記録メディアとは書き込み可能な回数が１回又は数回に限られた記録メディアであることを特徴とする記録装置。
【発明の詳細な説明】
【０００１】
【発明の属する技術分野】
本発明は記録装置に関し、特に種類の異なるメモリカードに対して画像データ等を記録する記録装置に関する。
【０００２】
【従来の技術】
従来、画像を撮影してデジタル信号として記録再生するデジタルカメラやデジタルビデオカメラが知られている。この種のカメラでは、記録媒体としてデータを何度でも繰り返して書き込みや読み出し可能なフラッシュメモリなどのメモリカードを用いており、撮影後、ユーザが要らない画像を消去したり、記録媒体内の全ての画像を消去して新たに書き込みしたりすることができた（例えば、特許文献１参照。）。
【０００３】
【特許文献１】
特許第３１７７４９１号
【０００４】
【発明が解決しようとする課題】
しかしながら、近年になってメモリカードの価格は低下してきているとはいえ、大容量のものとなると未だ高価である。そこで、メモリカードの同一アドレスに対するデータ書き込み動作を、１回あるいは数回のみ保証し、それ以上の書き込み動作については保証しない（または不可能とする）といった、使い切りを前提とした安価なメモリカード（以下、ワンタイムメモリカードと称す）の開発が検討されている。この様に書き込み回数を１回程度に制限することで、書き込みの繰り返しに対する動作保障が不要となるため、製造原価が安く、また、製品に対する評価コストも小さくすることが可能となる。
【０００５】
このような状況において、次世代のメモリカードであるワンタイムメモリカードに対応した製品を提供するのは勿論のこと、ワンタイムメモリカードと従来からある書き換え可能なメモリカードの両方をサポートした製品を提供していく必要がある。
【０００６】
そこで、デジタルカメラやデジタルビデオカメラにおいて、ワンタイムメモリカードと、従来からある書き換え可能なメモリカードとを兼用させる場合、書き換え可能なメモリカードの使用時と同じ動作シーケンスでワンタイムメモリカードに画像データを記録すると、結果的に不必要な画像データまでがワンタイムメモリカードに次々と記録されてしまうといった不都合が生じる。
【０００７】
本発明は上記の如き問題点を解決して、装着された記録メディアが書き込み回数制限のないメモリカードであるか、書き込みが１回程度までのワンタイムメモリカードであるかに応じて、記録メディアに対するデータの書き込み動作を変更し、それぞれ好適な使用環境となるよう構成した記録装置を提供することを目的とする。
【０００８】
【課題を解決するための手段】
斯かる目的を達成する為の手段として、本発明は以下の構成からなる手段を有する。
【０００９】
本発明の記録装置は、データを記録メディアに記録する記録装置において、装着された前記記録メディアの種類を検出する検出手段と、前記記録メディアに前記データを記録する記録手段と、前記記録手段に記録動作に関わる指示を入力するための操作手段と、前記検出手段の検出結果に応じて、前記操作手段による前記記録手段に対する指示入力に応じた動作を変更させる制御手段とを備えたことを特徴とする。
【００１０】
【発明の実施の形態】
以下、図面を参照しながら本発明の好適な実施の形態を説明する。
【００１１】
図１に本発明の実施の形態における記録装置１００の構成を示す。記録装置１００は一例として、デジタルカメラやデジタルビデオカメラである。
【００１２】
図１において１０１はレンズや撮像素子等から構成された、被写体を撮像して撮像信号を得る為の撮像系、１０２は撮像信号における輝度や色について画像処理するカメラ信号処理回路、１０３は画像処理された画像信号をＪＰＥＧ、ＭＰＥＧ２やＭＰＥＧ４等の所定の圧縮方式で圧縮符号化して記録に適した画像データに変換する画像圧縮回路、１０４は圧縮された画像データをバッファリングするＳＤＲＡＭ等で構成された画像メモリである。
【００１３】
また、１０５は記録装置の各部の動作をコントロールするＣＰＵ、１０６は装着されたメモリカード１１０の情報を読み取り、種類や残量等を判定してＣＰＵ１０５に信号を伝達するメモリカード判定部、１０７はメモリカード１１０を装着可能な構成で、メモリカード１１０との通信を行うためのメモリカードインタフェース（ＩＦ）、１０８はユーザによるボタン操作を検出するトリガ検出部、１０９はユーザが操作する記録ボタンである。なお、記録ボタン１０９は複数パターンの指示入力を可能にする操作ボタンとして、複数の操作部材からなる構成であっても良いが、本実施の形態では一つの操作部材により「半押し（１段階）」、「全押し（２段階）」といった操作が可能な２段階スイッチの構成を例に説明する。
【００１４】
１１０はメモリカードインタフェース１０７に対して着脱可能なメモリカードであり、装着可能なメモリカードの種類は、書き換え回数が実質的に無制限のメモリカード（以下、リライタブルメモリカードと称す）と、書き込み回数が１〜数回程度に制限されたワンタイムメモリカードである。
【００１５】
さらに、１１１、１１２は装着されたメモリカード１１０の種類に応じて切り換え可能なスイッチである。
【００１６】
なお、図１において、実線は画像信号（画像データ）の流れを示し、破線はその他の情報や制御信号等の流れを示している。
【００１７】
図１の記録装置１００において、撮影モードにおいて画像の記録を行うとき、ユーザが記録ボタン１０９を操作すると、トリガ検出部１０８がその操作状態を検出してＣＰＵ１０５にコマンド送信する。これを受けてＣＰＵ１０５は各部の動作制御を行い、撮像系１０１で被写体画像を撮像し、取り込まれた撮像信号をカメラ信号処理回路１０２で画像処理し、画像圧縮回路１０３で画像圧縮する。
【００１８】
ところで、画像データを記録すべきメモリカード１１０の検出は常時行っている。メモリカードインタフェース１０７を介して接続されたメモリカード１１０の種類や残量等の各種情報をメモリカード判定部１０６は常時判定し、ＣＰＵ１０５にメモリカードに関する情報として出力する。このとき、メモリカード１１０が接続されていないことをメモリカード判定部１０６が判定したときは、ＣＰＵ１０５にメモリカード無しの情報を出力することによって、ＣＰＵ１０５は記録不可の動作制御を行う。
【００１９】
また、メモリカード判定部１０６が装着されたメモリカード１１０がワンタイムメモリカードであると判定したときは、ＣＰＵ１０５は各部にワンタイムメモリカードに適した記録処理となるよう記録動作を制御する。同様に、装着されたメモリカード１１０がリライタブルメモリカードであると判定したときは、ＣＰＵ１０５は各部にリライタブルメモリカードに適した記録処理となるよう記録動作を制御する。
【００２０】
ここで、メモリカード１１０としてワンタイムメモリカードが装着されているときの記録動作を説明する。図２（ａ）、（ｂ）、（ｃ）は、ワンタイムメモリカードに画像データを記録するときの概念図である。
【００２１】
図２（ａ）は画像を撮影中であるが記録を行っていない状態（プレビュ状態）における、記録ボタン１０９と画像メモリ１０４の状態を表している。このとき、記録ボタン１０９の操作は何もされておらず（通常状態）、画像メモリ１０４にも画像圧縮回路１０３で圧縮された画像データはバッファリングされず、ワンタイムメモリカードにも画像データは記録されない。
【００２２】
図２（ｂ）は図２（ａ）の状態からユーザが記録ボタン１０９を半押し状態まで操作した時の画像メモリ１０４の状態を表している。トリガ検出部１０８が記録ボタン１０９の半押しを検出すると、ＣＰＵ１０５はスイッチ１１１を画像圧縮回路１０３と画像メモリ１０４が接続する様に切り換えることによって、画像圧縮回路１０３で圧縮された画像データを画像メモリ１０４にバッファリング開始する。このときはまだワンタイムメモリカードには画像データを記録しない。なお、記録ボタン１０９の半押し状態が解除されたならば図２（ａ）の状態に戻り、既にバッファリングされたデータは破棄（メモリのリセット）される。
【００２３】
図２（ｃ）は図２（ｂ）の状態からユーザが記録ボタン１０９を全押し状態まで操作した時の画像メモリ１０４の状態を表している。トリガ検出部１０８が記録ボタン１０９の全押しを検出すると、ＣＰＵ１０５はスイッチ１１２を画像メモリ１０４とメモリカードインタフェース１０７が接続する様に切り換えることによって、画像圧縮回路１０３で圧縮された画像データを画像メモリ１０４にバッファリングするのと平行して、画像メモリ１０４にバッファリングされた画像データをワンタイムメモリカードに記録開始する。動画の場合は記録停止ボタン（再度、記録ボタン１０９の全押し）が操作されるまで、画像メモリ１０４におけるバッファリングとワンタイムメモリカードへの記録を継続する。
【００２４】
以上のように、装着されたメモリカード１１０がワンタイムメモリカードであった場合には、記録ボタン１０９の半押し、全押しをトリガ検出部１０８で検出し、検出された状態に応じて画像メモリ１０４とワンタイムメモリカードへのデータ記録動作を制御する。
【００２５】
以上が、装着されたメモリカード１１０がワンタイムメモリカードであったときの記録動作の説明である。
【００２６】
一方、装着されたメモリカード１１０がリライタブルメモリカードであった場合には、トリガ検出部１０８が記録ボタン１０９の全押しを検出すると、ＣＰＵ１０５はスイッチ１１１とスイッチ１１２を画像圧縮回路１０３とメモリカードインタフェース１０７が接続する様に切り換えることによって、画像圧縮回路１０３で圧縮された画像データをリライタブルメモリカードに記録開始する構成となっている。すなわち、記録ボタン１０９が半押し状態のとき及び全押し状態のときに画像メモリ１０４へのバッファリングを行わないように制御する。
【００２７】
以上が、装着されたメモリカード１１０がリライタブルメモリカードであったときの記録動作の説明である。
【００２８】
図３はこれまで説明した記録装置１００の記録動作をフロー図で表現したものであり、ＣＰＵ１０５の動作フローチャートの一つである。
【００２９】
撮影モード時において、メモリカード判定部１０６は装着されたメモリカード１１０がワンタイムメモリカードであるかを判断する（Ｓｔｅｐ３０１）。Ｓｔｅｐ３０１での判断結果がワンタイムメモリカードであるならば、トリガ検出部１０８で記録ボタン１０９の半押し操作の有無を判断する（Ｓｔｅｐ３０２）。ここで半押し操作が行われたならば動画バッファリング開始の合図でありＳｔｅｐ３０３へ移行するが、半押し操作が行われないならばそのまま継続して半押し操作を待つことになり、すなわちプレビュ状態で待機することになる。
【００３０】
次に、Ｓｔｅｐ３０２で記録ボタン１０９の半押し操作が行われたならば、撮像系１０１、カメラ信号処理回路１０２、画像圧縮回路１０３を介して生成された撮像中の画像の圧縮された画像データを、画像メモリ１０４にバッファリングする（Ｓｔｅｐ３０３）。
【００３１】
次にトリガ検出部１０８で記録ボタン１０９の全押し操作の有無を判断する（Ｓｔｅｐ３０４）。ここで全押し操作が行われたならば動画記録開始の合図であり、Ｓｔｅｐ３０５へ移行するが、全押し操作が行われないならばＳｔｅｐ３０２へ戻り、記録ボタン１０９の半押し操作の有無の判断から繰り返す。このとき、Ｓｔｅｐ３０２で半押し操作が行われていないならば、半押し状態は解除されたので、画像メモリ１０４に既にバッファリングされた画像データは破棄され、次に半押し操作された時に新規に画像データをバッファリングする。Ｓｔｅｐ３０２で半押し操作が継続されているときは、Ｓｔｅｐ３０３のバッファリングは継続する。
【００３２】
次に、Ｓｔｅｐ３０４で記録ボタン１０９の全押し操作が行われたならば、画像メモリ１０４での画像データのバッファリングを継続して行い（Ｓｔｅｐ３０５）、さらに画像メモリ１０４にバッファリングされている画像データを先頭アドレスから読み出して、メモリカードインタフェース１０７を介してメモリカード１１０（ワンタイムメモリカード）に記録開始する（Ｓｔｅｐ３０６）。
【００３３】
その後、トリガ検出部１０８で記録ボタン１０９の全押し操作の有無を判断する（Ｓｔｅｐ３０７）。ここで全押し操作が行われたならば動画記録終了の合図であり、Ｓｔｅｐ３０８へ移行するが、全押し操作が行われないならばＳｔｅｐ３０５へ戻り、画像メモリ１０４での画像データのバッファリングと、メモリカード１１０（ワンタイムメモリカード）への記録動作を継続する。
【００３４】
最後に、画像メモリ１０４への画像データのバッファリングを停止し、画像メモリ１０４にバッファリングされた画像データの全てをメモリカード１１０（ワンタイムメモリカード）に記録終了すれば（Ｓｔｅｐ３０８）、記録動作が終了し、本フローはリターンとなる。
【００３５】
一方、Ｓｔｅｐ３０１において、判断結果がワンタイムメモリカードでないならば、装着されたカードはリライタブルメモリカードであるので、Ｓｔｅｐ３０９に移行する。
【００３６】
次に、トリガ検出部１０８で記録ボタン１０９の全押し操作の有無を判断する（Ｓｔｅｐ３０９）。ここで全押し操作が行われたならば動画記録開始の合図であり、Ｓｔｅｐ３１０へ移行するが、全押し操作が行われないならばそのまま継続して全押し操作を待つことになり、すなわちプレビュ状態で待機することになる。
【００３７】
次に、Ｓｔｅｐ３０９で記録ボタン１０９の全押し操作が行われたならば、撮像系１０１、カメラ信号処理回路１０２、画像圧縮回路１０３を介して生成された撮像中の画像の圧縮された画像データを、メモリカードインタフェース１０７を介してメモリカード１１０（リライタブルメモリカード）に記録する（Ｓｔｅｐ３１０）。
【００３８】
その後、トリガ検出部１０８で記録ボタン１０９の全押し操作の有無を判断する（Ｓｔｅｐ３１１）。ここで全押し操作が行われたならば動画記録終了の合図であり、記録動作が終了し、本フローはリターンとなるが、全押し操作が行われないならばＳｔｅｐ３１０へ戻り、メモリカード１１０（リライタブルメモリカード）への記録動作を継続する。
【００３９】
以上が、図３のフローチャートの説明である。
【００４０】
次に、実施の形態１の変形例を図４、図５を用いて説明する。
【００４１】
図４は本発明に係るワンタイムメモリカードへの動画記録時において、画像メモリ１０４の記録容量が無くなった場合の処理を説明するための図であって、図４（ａ）、（ｂ）、（ｃ）、（ｄ）は、その記録動作の概念図である。
【００４２】
まず、メモリカード１１０はワンタイムメモリカードであり、すでにメモリカード判定部１０６によって判定済みである。
【００４３】
図４（ａ）は、図２（ｂ）と同様に、ユーザが記録ボタン１０９を半押し状態まで操作した時の画像メモリ１０４の状態を表している。トリガ検出部１０８が記録ボタン１０９の半押しを検出すると、ＣＰＵ１０５はスイッチ１１１を画像圧縮回路１０３と画像メモリ１０４が接続する様に切り換えることによって、画像圧縮回路１０３で圧縮された画像データを画像メモリ１０４にバッファリング開始する。このときはまだワンタイムメモリカードには画像データを記録しない。
【００４４】
図４（ｂ）は、図４（ａ）の半押し状態を所定時間継続して、画像メモリ１０４のメモリ容量が一杯になった時の状態を表している。
【００４５】
図４（ｂ）の半押し状態をさらに継続すると、画像メモリ１０４は図４（ｃ）の状態になる。図４（ｃ）は画像メモリ１０４に記憶された画像データのうち、時間軸上で先頭にあたる最も過去の画像データから逐次消去し、新たな画像データを上書き記憶している様子である。
【００４６】
図４（ｄ）は図４（ｃ）の状態からユーザが記録ボタン１０９を全押し状態まで操作した時の画像メモリ１０４の状態を表している。トリガ検出部１０８が記録ボタン１０９の全押しを検出すると、ＣＰＵ１０５はスイッチ１１２を画像メモリ１０４とメモリカードインタフェース１０７が接続する様に切り換えることによって、画像圧縮回路１０３で圧縮された画像データを画像メモリ１０４にバッファリングするのと平行して、画像メモリ１０４にバッファリングされた画像データをワンタイムメモリカードに記録開始する。このとき、全押し操作が行われた時点での、画像メモリ１０４にバッファリングしてある画像データのうち、時間軸上で先頭にあたる最も過去の画像データからワンタイムメモリカードへ記録していく。動画の場合は記録停止ボタン（再度、記録ボタン１０９の全押し）が操作されるまで、画像メモリ１０４におけるバッファリングとワンタイムメモリカードへの記録を継続する。
【００４７】
以上のように、装着されたメモリカード１１０がワンタイムメモリカードであった場合には、記録ボタン１０９の半押し、全押しをトリガ検出部１０８で検出し、検出された状態に応じて、さらに画像メモリ１０４の記録容量とに応じて、画像メモリ１０４とワンタイムメモリカードへのデータ記録動作を制御する。
【００４８】
図５は図４を用いて説明した記録装置１００の記録動作をフロー図で表現したものであり、ＣＰＵ１０５の動作フローチャートの一つである。
【００４９】
なお、図５に示した撮影モードに関しては、装着されたメモリカード１１０がワンタイムメモリカードに限ったものであり、既にメモリカード判定部１０６によって判定済みであるものとする。
【００５０】
撮影モード時において、トリガ検出部１０８で記録ボタン１０９の半押し操作の有無を判断する（Ｓｔｅｐ５００）。ここで半押し操作が行われたならば動画バッファリング開始の合図でありＳｔｅｐ５０１へ移行するが、半押し操作が行われないならばそのまま継続して半押し操作を待つことになり、すなわちプレビュ状態で待機することになる。
【００５１】
次に、Ｓｔｅｐ５００で記録ボタン１０９の半押し操作が行われたならば、撮像系１０１、カメラ信号処理回路１０２、画像圧縮回路１０３を介して生成された撮像中の画像の圧縮された画像データを、画像メモリ１０４にバッファリング開始する（Ｓｔｅｐ５０１）。
【００５２】
次に、画像メモリ１０４が一杯になった（記憶可能な残量が無い）かを判断する（Ｓｔｅｐ５０２）。一杯になっていなければ、継続して画像メモリ１０４に画像データをバッファリングして（Ｓｔｅｐ５１０）、Ｓｔｅｐ５０４へ移行する。Ｓｔｅｐ５０２で一杯になっているならば、画像メモリ１０４に既にバッファリングされている画像データのうち、時間軸上で先頭の画像データを消去しつつ新たな画像データを上書きすることで画像データのバッファリングを継続して（Ｓｔｅｐ５０３）、Ｓｔｅｐ５０４に移行する。
【００５３】
次にトリガ検出部１０８で記録ボタン１０９の全押し操作の有無を判断する（Ｓｔｅｐ５０４）。ここで全押し操作が行われたならば動画記録開始の合図であり、Ｓｔｅｐ５０５へ移行するが、全押し操作が行われないならばＳｔｅｐ５００へ戻り、記録ボタン１０９の半押し操作の有無の判断から繰り返す。このとき、Ｓｔｅｐ５００で半押し操作が行われていないならば、半押し状態は解除されたので、画像メモリ１０４に既にバッファリングされた画像データは破棄され、次に半押し操作された時に新規に画像データをバッファリングする。Ｓｔｅｐ５００で半押し操作が継続されているときは、バッファリングを継続して、Ｓｔｅｐ５０２以降のステップを繰り返す。
【００５４】
次に、Ｓｔｅｐ５０４で記録ボタン１０９の全押し操作が行われたならば、画像メモリ１０４にバッファリングされている画像データのうち時間軸上で先頭にあたる最も過去の画像データから、メモリカード１１０（ワンタイムメモリカード）へ記録開始する（Ｓｔｅｐ５０５）。
【００５５】
次に、画像メモリ１０４が一杯になったかを判断する（Ｓｔｅｐ５０６）。一杯になっていなければ、継続して画像メモリ１０４に画像データをバッファリングして（Ｓｔｅｐ５１１）、Ｓｔｅｐ５０８へ移行する。Ｓｔｅｐ５０６で一杯になっているならば、画像メモリ１０４にバッファリングされている画像データのうち、既にメモリカード１１０（ワンタイムメモリカード）に記録済の画像データを消去しつつ新たな画像データを上書きすることで画像データのバッファリングを継続して（Ｓｔｅｐ５０７）、Ｓｔｅｐ５０８に移行する。
【００５６】
その後、トリガ検出部１０８で記録ボタン１０９の全押し操作の有無を判断する（Ｓｔｅｐ５０８）。ここで全押し操作が行われたならば動画記録終了の合図であり、Ｓｔｅｐ５０９へ移行するが、全押し操作が行われないならばメモリカード１１０（ワンタイムメモリカード）への記録動作とバッファリングを継続しつつ、Ｓｔｅｐ５０６へ戻りＳｔｅｐ５０６以降のステップを繰り返す。
【００５７】
最後に、画像メモリ１０４への画像データのバッファリングを停止し、画像メモリ１０４にバッファリングされた画像データの全てをメモリカード１１０（ワンタイムメモリカード）に記録終了すれば（Ｓｔｅｐ５０９）、記録動作が終了し、本フローはリターンとなる。
【００５８】
また、図５のフローチャートの説明では、Ｓｔｅｐ５０２、及びＳｔｅｐ５０６において画像メモリ１０４が一杯と判断した場合に、過去の画像データに上書きしてバッファリングを継続したが、一杯になった時点で撮影を終了し画像メモリ１０４にバッファリングできた画像データまでをメモリカード１１０に書き込む構成も可能である。また、これらをユーザに選択させても良い。
【００５９】
以上が、図５のフローチャートの説明である。
【００６０】
なお、上述した本実施の形態の構成では、ワンタイムメモリカードのときは画像メモリ１０４を用い、リライタブルメモリカードのときは画像メモリ１０４を用いない構成であったが、例えばリライタブルメモリカードのときは画像メモリを用いて１段階のバッファリングを行い、ワンタイムメモリカードのときは一つ又は複数の画像メモリを用いて２段階以上のバッファリングを行うような構成も本発明の一部である。
【００６１】
このように、本実施の形態によれば、装着されたメモリカードの種類に応じて記録動作を制御することによって、記録メディア毎に好適な使用環境をユーザに提供できる。さらにワンタイムメモリカードのような一回程度の記録のみ許された記録メディアを装着している際には、２段階の記録ボタンと画像メモリを関連付けて使用することによって、欲しい画像のみを確実にメモリカードに記録することができる。
【００６２】
【発明の効果】
以上説明したように、本発明によれば、装着されたメモリカードの種類に応じて記録動作を制御することによって、記録メディア毎に好適な使用環境をユーザに提供できる。
【図面の簡単な説明】
【図１】本発明の実施の形態における記録装置の構成を表すブロック図である。
【図２】（ａ）、（ｂ）、（ｃ）は、本発明の実施の形態における記録装置の記録動作を説明するための概念図である。
【図３】本発明の実施の形態における画像記録時の動作を説明するフローチャートである。
【図４】（ａ）、（ｂ）、（ｃ）、（ｄ）は、本実施の形態の変形例における記録装置の記録動作を説明するための概念図である。
【図５】本実施の形態の変形例における画像記録時の動作を説明するフローチャートである。
【符号の説明】
１００  記録装置
１０１  撮像系
１０２  カメラ信号処理回路
１０３  画像圧縮回路
１０４  画像メモリ
１０５  ＣＰＵ
１０６  メモリカード判定部
１０７  メモリカードインタフェース（ＩＦ）
１０８  トリガ検出部
１０９  記録ボタン
１１０  メモリカード
１１１  スイッチ
１１２  スイッチ
【図１】
2004336135.tif 000003
【図２】
2004336135.tif 000004
【図３】
2004336135.tif 000005
【図４】
2004336135.tif 000006
【図５】
2004336135.tif 000007